【手続補正書】
【提出日】平成26年10月29日(2014.10.29)
【手続補正１】
【補正対象書類名】特許請求の範囲
【補正対象項目名】全文
【補正方法】変更
【補正の内容】
【特許請求の範囲】
【請求項１】
それぞれがセルを形成する複数の無線基地局装置に対して無線リンクを介して接続するユーザ端末であって、
前記複数の無線基地局装置が協調マルチポイント送信するＣｏＭＰ送信において、物理下りリンク制御チャネルが特定セルから送信される場合、前記特定セルの無線基地局装置から物理下りリンク制御チャネルを受信すると共に、協調マルチポイント送信する無線基地局装置から物理下りリンク共有データチャネルを受信する受信部と、
受信した各セルの物理下りリンク制御チャネルに含まれた下りリンク制御情報と、あらかじめ準備されたテーブルを用いて送信ポイントを特定する判定部と、を備えることを特徴とするユーザ端末。
【請求項２】
前記テーブルには、前記送信ポイントとなるセルを示すインデックスがハイヤレイヤシグナリングで設定されることを特徴とする請求項１に記載のユーザ端末。
【請求項３】
前記テーブルは、ＣｏＭＰ送信において送信ポイントとなる個々の協調セルを示すインデックス、および、ＣｏＭＰ送信においてジョイント送信する複数セルの各組み合わせを示すＣｏＭＰセットのインデックスが、ビットデータにマッピングされていることを特徴とする請求項１に記載のユーザ端末。
【請求項４】
前記物理下りリンク制御チャネルの下りリンク制御情報に物理下りリンク制御チャネルのセル識別情報が記述されるキャリアインジケータフィールドが定められることを特徴とする請求項１に記載のユーザ端末。
【請求項５】
前記テーブルは、通信品質が品質条件を満たさないセルの組み合わせからなるＣｏＭＰセットが含まれないように、ビットデータにマッピングされるＣｏＭＰセットが制限されることを特徴とする請求項１に記載のユーザ端末。
【請求項６】
前記テーブルは、通信品質が品質条件を満たさない協調セルの全部または一部が含まれないように、ビットデータにマッピングされる協調セルまたは当該協調セルを含むＣｏＭＰセットが制限されることを特徴とする請求項１に記載のユーザ端末。
【請求項７】
前記テーブルは、１サブフレームにスケジューリングされる複数セルの物理下りリンク制御チャネルの下りリンク制御情報のビットサイズが互いに異なる場合、協調セルの全部または一部が含まれないように、ビットデータにマッピングされる協調セルが制限されることを特徴とする請求項１に記載のユーザ端末。
【請求項８】
ユーザ端末が無線リンクを介して接続する無線基地局装置であって、
前記ユーザ端末に対して他の無線基地局装置と共に送信ポイントとなって協調マルチポイント送信するＣｏＭＰ送信をスケジューリングするスケジューラと、
ＣｏＭＰ送信において、物理下りリンク制御チャネルを特定セルから送信する場合、送信ポイントとなるセルを示すインデックスが、ビットデータにマッピングされているテーブルに基づいて、物理下りリンク制御チャネルに前記インデックスを組み込んだ下りリンク制御情報を生成する生成部と、
前記生成した下りリンク制御情報を含んだデータ信号を復調するために必要な制御情報を前記特定セルから送信する送信部と、を具備したことを特徴とする無線基地局装置。
【請求項９】
それぞれがセルを形成する複数の無線基地局装置と、前記各無線基地局装置に対して無線リンクを介して接続するユーザ端末とを備えた無線通信システムであって、
前記無線通信システムは、
前記ユーザ端末に対して前記複数の無線基地局装置が送信ポイントとなってＣｏＭＰ送信し、特定セルの無線基地局装置から物理下りリンク制御チャネルを送信すると共に、ＣｏＭＰ送信する無線基地局装置から物理下りリンク共有データチャネルを送信する伝送モードをサポートし、
前記特定セルの無線基地局装置は、
ＣｏＭＰ送信において、物理下りリンク制御チャネルを特定セルから送信する場合、送信ポイントとなるセルを示すインデックスがビットデータにマッピングされているテーブルに基づいて、物理下りリンク制御チャネルに前記インデックスを組み込んだ下りリンク制御情報を生成する生成部と、
前記生成した下りリンク制御情報を含んだ各セルの物理下りリンク制御チャネルを前記特定セルから送信する送信部と、を具備し、
前記ユーザ端末は、
前記複数の無線基地局装置が協調マルチポイント送信するＣｏＭＰ送信において、物理下りリンク制御チャネルが特定セルから送信される場合、前記特定セルの無線基地局装置から物理下りリンク制御チャネルを受信すると共に、協調マルチポイント送信する無線基地局装置から物理下りリンク共有データチャネルを受信する受信部と、
受信した各セルの物理下りリンク制御チャネルに含まれた下りリンク制御情報と、あらかじめ準備されたテーブルを用いて送信ポイントを特定する判定部と、を具備したことを特徴とする無線通信システム。
【請求項１０】
それぞれがセルを形成する複数の無線基地局装置と、前記各無線基地局装置に対して無線リンクを介して接続するユーザ端末とを備えた無線通信システムにおける通信制御方法であって、
前記複数の無線基地局装置が協調マルチポイント送信するＣｏＭＰ送信において、物理下りリンク制御チャネルが特定セルから送信される場合、前記特定セルの無線基地局装置から物理下りリンク制御チャネルを受信すると共に、協調マルチポイント送信する無線基地局装置から物理下りリンク共有データチャネルを受信し、
受信した各セルの物理下りリンク制御チャネルに含まれた下りリンク制御情報と、あらかじめ準備されたテーブルを用いて送信ポイントを特定することを特徴とする通信制御方法。
【手続補正２】
【補正対象書類名】明細書
【補正対象項目名】００１２
【補正方法】変更
【補正の内容】
【００１２】
本発明の無線通信システムは、それぞれがセルを形成する複数の無線基地局装置と、前記各無線基地局装置に対して無線リンクを介して接続するユーザ端末とを備えた無線通信システムであって、前記無線通信システムは、前記ユーザ端末に対して前記複数の無線基地局装置が送信ポイントとなってＣｏＭＰ送信し、特定セルの無線基地局装置から物理下りリンク制御チャネルを送信すると共に、ＣｏＭＰ送信する無線基地局装置から物理下りリンク共有データチャネルを送信する伝送モードをサポートし、前記特定セルの無線基地局装置は、ＣｏＭＰ送信において、物理下りリンク制御チャネルを特定セルから送信する場合、送信ポイントとなるセルを示すインデックスがビットデータにマッピングされているテーブルに基づいて、物理下りリンク制御チャネルに前記インデックスを組み込んだ下りリンク制御情報を生成する生成部と、前記生成した下りリンク制御情報を含んだ各セルの物理下りリンク制御チャネルを前記特定セルから送信する送信部と、を具備し、前記ユーザ端末は、前記複数の無線基地局装置が協調マルチポイント送信するＣｏＭＰ送信において、物理下りリンク制御チャネルが特定セルから送信される場合、前記特定セルの無線基地局装置から物理下りリンク制御チャネルを受信すると共に、協調マルチポイント送信する無線基地局装置から物理下りリンク共有データチャネルを受信する受信部と、受信した各セルの物理下りリンク制御チャネルに含まれた下りリンク制御情報と、あらかじめ準備されたテーブルを用いて送信ポイントを特定する判定部と、を具備したことを特徴とする。
【手続補正３】
【補正対象書類名】明細書
【補正対象項目名】００１３
【補正方法】変更
【補正の内容】
【００１３】
本発明の無線基地局装置は、ユーザ端末が無線リンクを介して接続する無線基地局装置であって、前記ユーザ端末に対して他の無線基地局装置と共に送信ポイントとなって協調マルチポイント送信するＣｏＭＰ送信をスケジューリングするスケジューラと、ＣｏＭＰ送信において、物理下りリンク制御チャネルを特定セルから送信する場合、送信ポイントとなるセルを示すインデックスが、ビットデータにマッピングされているテーブルに基づいて、物理下りリンク制御チャネルに前記インデックスを組み込んだ下りリンク制御情報を生成する生成部と、前記生成した下りリンク制御情報を含んだデータ信号を復調するために必要な制御情報を前記特定セルから送信する送信部と、を具備したことを特徴とする。
【手続補正４】
【補正対象書類名】明細書
【補正対象項目名】００１４
【補正方法】変更
【補正の内容】
【００１４】
本発明のユーザ端末は、それぞれがセルを形成する複数の無線基地局装置に対して無線リンクを介して接続するユーザ端末であって、前記複数の無線基地局装置が協調マルチポイント送信するＣｏＭＰ送信において、物理下りリンク制御チャネルが特定セルから送信される場合、前記特定セルの無線基地局装置から物理下りリンク制御チャネルを受信すると共に、協調マルチポイント送信する無線基地局装置から物理下りリンク共有データチャネルを受信する受信部と、受信した各セルの物理下りリンク制御チャネルに含まれた下りリンク制御情報と、あらかじめ準備されたテーブルを用いて送信ポイントを特定する判定部と、を備えることを特徴とする。
【手続補正５】
【補正対象書類名】明細書
【補正対象項目名】００１５
【補正方法】変更
【補正の内容】
【００１５】
本発明の通信制御方法は、それぞれがセルを形成する複数の無線基地局装置と、前記各無線基地局装置に対して無線リンクを介して接続するユーザ端末とを備えた無線通信システムにおける通信制御方法であって、前記複数の無線基地局装置が協調マルチポイント送信するＣｏＭＰ送信において、物理下りリンク制御チャネルが特定セルから送信される場合、前記特定セルの無線基地局装置から物理下りリンク制御チャネルを受信すると共に、協調マルチポイント送信する無線基地局装置から物理下りリンク共有データチャネルを受信し、受信した各セルの物理下りリンク制御チャネルに含まれた下りリンク制御情報と、あらかじめ準備されたテーブルを用いて送信ポイントを特定することを特徴とする。